(57)【要約】【課題】車内に設置された情報表示システムヘの情報配信をより効率的に行なう。【解決手段】車内に設置される情報表示システム１０と、該情報表示システムと車外高速無線ＬＡＮで接続され、情報配信システムにコンテンツを配信する配信サーバ２０とを有する情報配信システムであって、配信サーバ２０は、配信すべきコンテンツが複数、ある場合には、それらの間の優先順位を反映させて情報表示システム１０に配信し、また、情報表示システム１０が搭載されている車両が停車中にコンテンツを配信する際に、配信途中で通信が途絶えた場合には次の駅または停留所でコンテンツの配信を再開させる。【選択図】　　　図１
2004135138.tif 000002
【特許請求の範囲】
【請求項１】
車内に設置される情報表示システムと、該情報表示システムと車外高速無線ＬＡＮで接続される配信サーバとを有する情報配信システムの情報配信方法において、
前記情報表示システムにより、
前記配信サーバからコンテンツの供給を受ける第１のステップと、
各コンテンツの受信完了か否かを判定し、受信未完了の場合は、前記コンテンツの受信済みのデータサイズを管理する第２のステップと、
コンテンツの受信時刻を管理する第３のステップと、
駅に停車した際に、前回の受信時刻を前記配信サーバに送り、かつ受信未完了のコンテンツがあれば、該コンテンツを識別するためのＩＤと該コンテンツの受信済みのデータサイズを示すデータを前記配信サーバに送出する第４のステップと、
を実行し、
前記配信サーバにより、
コンテンツを蓄積し、かつ該コンテンツの更新時刻を管理する第５のステップと、
前記前回の受信時刻を情報表示システムから受け取る第６のステップと、
受信未完了のコンテンツを識別するＩＤと該コンテンツの受信済みのデータサイズを示すデータを前記情報表示システムから受け取ったとき、該コンテンツの更新時刻が、前回の受信時刻以前であれば、該コンテンツの残りのデータを前記情報表示システムに送出する第７のステップと、
を実行することを特徴とする情報配信方法。
【請求項２】
車内に設置される情報表示システムと、該情報表示システムと車外高速無線ＬＡＮで接続される配信サーバとを有する情報配信システムであって、
前記情報表示システムは、
前記配信サーバからコンテンツの供給を受け、コンテンツの受信時刻と、各コンテンツの受信完了か否かを判定し、受信未完了の場合は、前記コンテンツの受信済みのデータサイズとを管理するとともに、
駅に停車した際に、前回の受信時刻を前記配信サーバに送り、かつ受信未完了のコンテンツがあれば、該コンテンツを識別するためのＩＤと該コンテンツの受信済みのデータサイズを示すデータを前記配信サーバに送出し、
前記配信サーバは、
コンテンツを蓄積し、該コンテンツの更新時刻を管理し、かつ前記前回の受信時刻を前記情報表示システムから受け取るとともに、
受信未完了のコンテンツを識別するＩＤと該コンテンツの受信済みのデータサイズを示すデータを前記情報表示システムから受け取ったとき、該コンテンツの更新時刻が、前回の受信時刻以前であれば、該コンテンツの残りのデータを前記情報表示システムに送出することを特徴とする情報配信システム。
【請求項３】
車内に設置される情報表示システムと、該情報表示システムと車外高速無線ＬＡＮで接続される配信サーバとを有する情報配信システムの情報表示システムにおいて、
該情報表示システムは、
前記配信サーバからコンテンツの供給を受け、コンテンツの受信時刻と、各コンテンツの受信完了か否かを判定し、受信未完了の場合は、前記コンテンツの受信済みのデータサイズとを管理するとともに、
駅に停車した際に、前回の受信時刻を前記配信サーバに送り、かつ受信未完了のコンテンツがあれば、該コンテンツを識別するためのＩＤと該コンテンツの受信済みのデータサイズを示すデータを前記配信サーバに送出することを特徴とする情報配信システムの情報表示システム。
【請求項４】
車内に設置される情報表示システムと、該情報表示システムと車外高速無線ＬＡＮで接続される配信サーバとを有する情報配信システムの配信サーバにおいて、
該配信サーバは、
コンテンツを蓄積し、該コンテンツの更新時刻を管理し、かつ前記前回の受信時刻を前記情報表示システムから受け取るとともに、
受信未完了のコンテンツを識別するＩＤと該コンテンツの受信済みのデータサイズを示すデータを前記情報表示システムから受け取ったとき、該コンテンツの更新時刻が、前回の受信時刻以前であれば、該コンテンツの残りのデータを前記情報表示システムに送出することを特徴とする情報配信システムの配信サーバ。
【請求項５】
車内に設置される情報表示システムと、該情報表示システムと車外高速無線ＬＡＮで接続される配信サーバとを有する情報配信システムの情報配信方法において、
前記配信サーバにより、
コンテンツを蓄積し、該コンテンツの更新時刻と重要度を管理する第１のステップと、
前回受信時刻を情報表示システムから受け取り、前回受信時刻以降に更新されたコンテンツを配信候補とする第２のステップと、
前記配信候補の中で、第１に重要度を優先して、配信の優先順位を定め、該優先順位に従って、前記情報表示システムにコンテンツを配信する第３のステップと、
を実行することを特徴とする情報配信方法。
【請求項６】
前記第３のステップにおいて、
配信するコンテンツのデータサイズも管理し、配信する複数のコンテンツのうち、重要度が同じコンテンツの場合は、データサイズが小さいものを優先して、配信の優先順位を定めることを特徴とする請求項５に記載の情報配信方法。
【請求項７】
車内に設置される情報表示システムと、該情報表示システムと車外高速無線ＬＡＮで接続される配信サーバとを有する情報配信システムの配信サーバにおいて、
該配信サーバは、
コンテンツを蓄積し、該コンテンツの更新時刻と重要度を管理し、前回受信時刻を情報表示システムから受け取り、
受信時刻以降に更新されたコンテンツを配信候補とし、
該配信候補の中で、第１に重要度を優先して、配信の優先順位を定め、該優先順位に従って、前記情報表示システムにコンテンツを配信することを特徴とする情報配信システムの配信サーバ。
【請求項８】
前記配信サーバは、
配信するコンテンツのデータサイズも管理し、配信する複数のコンテンツのうち、重要度が同じコンテンツの場合は、データサイズが小さいものを優先して、配信の優先順位を定めることを特徴とする請求項７に記載の情報配信システムの配信サーバ。
【請求項９】
車内に設置される情報表示システムと、該情報表示システムと車外高速無線ＬＡＮで接続される配信サーバとを有する情報配信システムの配信サーバで情報を前記情報表示システムに配信するための情報配信プログラムにおいて、
コンテンツを蓄積し、該コンテンツの更新時刻と重要度を管理し、前回受信時刻を情報表示システムから受け取る第１の機能と、
受信時刻以降に更新されたコンテンツを配信候補とする第２の機能と、
該配信候補の中で、第１に重要度を優先して、配信の優先順位を定め、該優先順位に従って、前記情報表示システムにコンテンツを配信する第３の機能と、
をコンピュータに実行させるための情報配信プログラム。
【請求項１０】
車内に設置される情報表示システムと、該情報表示システムと車外高速無線ＬＡＮで接続される配信サーバとを有する情報配信システムの配信サーバで情報を前記情報表示システムに配信するための情報配信プログラムにおいて、
コンテンツを蓄積し、該コンテンツの更新時刻と重要度を管理し、前回受信時刻を情報表示システムから受け取る第１の機能と、
受信時刻以降に更新されたコンテンツを配信候補とする第２の機能と、
該配信候補の中で、第１に重要度を優先して、配信の優先順位を定め、該優先順位に従って、前記情報表示システムにコンテンツを配信するとともに、配信するコンテンツのデータサイズも管理し、配信する複数のコンテンツのうち、重要度が同じコンテンツの場合は、データサイズが小さいものを優先して、配信の優先順位を定める第３の機能と、
をコンピュータに実行させるための情報配信プログラム。
【請求項１１】
車内に設置される情報表示システムと、該情報表示システムと車外高速無線ＬＡＮで接続される配信サーバとを有する情報配信システムの配信サーバで情報を前記情報表示システムに配信するための情報配信プログラムであって、
コンテンツを蓄積し、該コンテンツの更新時刻と重要度を管理し、前回受信時刻を情報表示システムから受け取る第１の機能と、
受信時刻以降に更新されたコンテンツを配信候補とする第２の機能と、
該配信候補の中で、第１に重要度を優先して、配信の優先順位を定め、該優先順位に従って、前記情報表示システムにコンテンツを配信する第３の機能と、
をコンピュータに実行させるための情報配信プログラムを記録したコンピュータ読み取り可能な記録媒体。
【請求項１２】
車内に設置される情報表示システムと、該情報表示システムと車外高速無線ＬＡＮで接続される配信サーバとを有する情報配信システムの配信サーバで情報を前記情報表示システムに配信するための情報配信プログラムにおいて、
コンテンツを蓄積し、該コンテンツの更新時刻と重要度を管理し、前回受信時刻を情報表示システムから受け取る第１の機能と、
受信時刻以降に更新されたコンテンツを配信候補とする第２の機能と、
該配信候補の中で、第１に重要度を優先して、配信の優先順位を定め、該優先順位に従って、前記情報表示システムにコンテンツを配信するとともに、配信するコンテンツのデータサイズも管理し、配信する複数のコンテンツのうち、重要度が同じコンテンツの場合は、データサイズが小さいものを優先して、配信の優先順位を定める第３の機能と、
をコンピュータに実行させるための情報配信プログラムを記録したコンピュータ読み取り可能な記録媒体。
【発明の詳細な説明】
【０００１】
【発明の属する技術分野】
本発明は、列車やバス等の公共の乗物に搭載された情報表示システムに用いる情報配信技術に係り、特に、乗物に搭載された情報表示システムに対して、無線を通じて間欠的に情報を配信するのに好適な情報配信方法、情報配信システム、情報表示システム、配信サーバ、情報配信プログラム及び記録媒体に関する。
【０００２】
【従来の技術】
従来の列車やバス等の公共の乗物に搭載された情報表示システムでは、表示コンテンツの更新方法は、車庫等に入ったときに、ＣＤ−ＲＯＭ等のメディアを使用して入れ替えるか、ポケットベルや携帯電話機等の通信可能な範囲は広いが通信帯域が狭い（２．４ｋｂｐｓ〜２８．８ｋｂｐｓ）無線を使いコンテンツを更新していた。例えば、書籍情報を放送型のデータ通信で配信していた（特許文献１参照）。
【０００３】
【特許文献１】
特開平７−３６９３０号公報
【０００４】
【発明が解決しようとする課題】
従来の列車やバス等の公共の乗物に搭載された情報表示システムでは、表示コンテンツの更新に上記のような方法を取っているため、リアルタイムに巨大なコンテンツを更新することは困難であった。
上記問題を解決する一方法としては、ＩＥＥＥ８０２　１１ｂ等の高速無線ＬＡＮを使用する方法がある。高速無線ＬＡＮは一般的には、通信帯域は広いが、通信可能な範囲が狭いという特徴がある。そのため、列車やバスが、駅やバス停に停車中に表示コンテンツの更新を行なわざるを得ない。
【０００５】
しかし、乗物の停車時間の長短や通信を無線で行なうことに起因する通信帯域の変動により、その停車中にどれだけの量のコンテンツを乗物に搭載された情報表示システムに配信できるかは、その停車時毎に異なる状態が発生する。したがって、あるコンテンツが乗物の停車中に、それに搭載された情報表示システムに対して配信が完了することを保証させるのは困難であった。
【０００６】
本発明はこのような事情に鑑みてなされたものであり、配信コンテンツが複数ある場合は、それらの間の優先順位を反映し、また、配信途中で、通信が途切れた場合は、次の駅や停留所で配信を再開させることで、車内に設置された情報表示システムヘの情報配信をより効率的に行なうことができる情報配信方法、情報配信システム、情報表示システム、配信サーバ、情報配信プログラム及び記録媒体を提供することを目的とする。
【０００７】
【課題を解決するための手段】
上記目的を達成するために、請求項１に記載の発明は、車内に設置される情報表示システムと、該情報表示システムと車外高速無線ＬＡＮで接続される配信サーバとを有する情報配信システムの情報配信方法において、
前記情報表示システムにより、
前記配信サーバからコンテンツの供給を受ける第１のステップと、各コンテンツの受信完了か否かを判定し、受信未完了の場合は、前記コンテンツの受信済みのデータサイズを管理する第２のステップと、コンテンツの受信時刻を管理する第３のステップと、駅に停車した際に、前回の受信時刻を前記配信サーバに送り、かつ受信未完了のコンテンツがあれば、該コンテンツを識別するためのＩＤと該コンテンツの受信済みのデータサイズを示すデータを前記配信サーバに送出する第４のステップとを実行し、
前記配信サーバにより、
コンテンツを蓄積し、かつ該コンテンツの更新時刻を管理する第５のステップと、前記前回の受信時刻を情報表示システムから受け取る第６のステップと、受信未完了のコンテンツを識別するＩＤと該コンテンツの受信済みのデータサイズを示すデータを前記情報表示システムから受け取ったとき、該コンテンツの更新時刻が、前回の受信時刻以前であれば、該コンテンツの残りのデータを前記情報表示システムに送出する第７のステップとを実行することを特徴とする。
【０００８】
また、請求項２に記載の発明は、車内に設置される情報表示システムと、該情報表示システムと車外高速無線ＬＡＮで接続される配信サーバとを有する情報配信システムであって、
前記情報表示システムは、前記配信サーバからコンテンツの供給を受け、コンテンツの受信時刻と、各コンテンツの受信完了か否かを判定し、受信未完了の場合は、前記コンテンツの受信済みのデータサイズとを管理するとともに、
駅に停車した際に、前回の受信時刻を前記配信サーバに送り、かつ受信未完了のコンテンツがあれば、該コンテンツを識別するためのＩＤと該コンテンツの受信済みのデータサイズを示すデータを前記配信サーバに送出し、
前記配信サーバは、コンテンツを蓄積し、該コンテンツの更新時刻を管理し、かつ前記前回の受信時刻を前記情報表示システムから受け取るとともに、
受信未完了のコンテンツを識別するＩＤと該コンテンツの受信済みのデータサイズを示すデータを前記情報表示システムから受け取ったとき、該コンテンツの更新時刻が、前回の受信時刻以前であれば、該コンテンツの残りのデータを前記情報表示システムに送出することを特徴とする。
【０００９】
また、請求項３に記載の発明は、車内に設置される情報表示システムと、該情報表示システムと車外高速無線ＬＡＮで接続される配信サーバとを有する情報配信システムの情報表示システムにおいて、該情報表示システムは、前記配信サーバからコンテンツの供給を受け、コンテンツの受信時刻と、各コンテンツの受信完了か否かを判定し、受信未完了の場合は、前記コンテンツの受信済みのデータサイズとを管理するとともに、
駅に停車した際に、前回の受信時刻を前記配信サーバに送り、かつ受信未完了のコンテンツがあれば、該コンテンツを識別するためのＩＤと該コンテンツの受信済みのデータサイズを示すデータを前記配信サーバに送出することを特徴とする。
【００１０】
また、請求項４に記載の発明は、車内に設置される情報表示システムと、該情報表示システムと車外高速無線ＬＡＮで接続される配信サーバとを有する情報配信システムの配信サーバにおいて、
該配信サーバは、コンテンツを蓄積し、該コンテンツの更新時刻を管理し、かつ前記前回の受信時刻を前記情報表示システムから受け取るとともに、
受信未完了のコンテンツを識別するＩＤと該コンテンツの受信済みのデータサイズを示すデータを前記情報表示システムから受け取ったとき、該コンテンツの更新時刻が、前回の受信時刻以前であれば、該コンテンツの残りのデータを前記情報表示システムに送出することを特徴とする。
【００１１】
また、請求項５に記載の発明は、車内に設置される情報表示システムと、該情報表示システムと車外高速無線ＬＡＮで接続される配信サーバとを有する情報配信システムの情報配信方法において、
前記配信サーバにより、
コンテンツを蓄積し、該コンテンツの更新時刻と重要度を管理する第１のステップと、前回受信時刻を情報表示システムから受け取り、前回受信時刻以降に更新されたコンテンツを配信候補とする第２のステップと、前記配信候補の中で、第１に重要度を優先して、配信の優先順位を定め、該優先順位に従って、前記情報表示システムにコンテンツを配信する第３のステップとを実行することを特徴とする。
【００１２】
また、請求項６に記載の発明は、請求項５に記載の情報配信方法において、前記第３のステップにおいて、配信するコンテンツのデータサイズも管理し、配信する複数のコンテンツのうち、重要度が同じコンテンツの場合は、データサイズが小さいものを優先して、配信の優先順位を定めることを特徴とする。
【００１３】
また、請求項７に記載の発明は、車内に設置される情報表示システムと、該情報表示システムと車外高速無線ＬＡＮで接続される配信サーバとを有する情報配信システムの配信サーバにおいて、該配信サーバは、コンテンツを蓄積し、該コンテンツの更新時刻と重要度を管理し、前回受信時刻を情報表示システムから受け取り、受信時刻以降に更新されたコンテンツを配信候補とし、該配信候補の中で、第１に重要度を優先して、配信の優先順位を定め、該優先順位に従って、前記情報表示システムにコンテンツを配信することを特徴とする。
【００１４】
また、請求項８に記載の発明は、請求項７に記載の情報配信システムの配信サーバにおいて、前記配信サーバは、配信するコンテンツのデータサイズも管理し、配信する複数のコンテンツのうち、重要度が同じコンテンツの場合は、データサイズが小さいものを優先して、配信の優先順位を定めることを特徴とする。
【００１５】
また、請求項９に記載の発明は、車内に設置される情報表示システムと、該情報表示システムと車外高速無線ＬＡＮで接続される配信サーバとを有する情報配信システムの配信サーバで情報を前記情報表示システムに配信するための情報配信プログラムにおいて、コンテンツを蓄積し、該コンテンツの更新時刻と重要度を管理し、前回受信時刻を情報表示システムから受け取る第１の機能と、受信時刻以降に更新されたコンテンツを配信候補とする第２の機能と、該配信候補の中で、第１に重要度を優先して、配信の優先順位を定め、該優先順位に従って、前記情報表示システムにコンテンツを配信する第３の機能とをコンピュータに実行させるための情報配信プログラムを要旨とする。
【００１６】
また、請求項１０に記載の発明は、車内に設置される情報表示システムと、該情報表示システムと車外高速無線ＬＡＮで接続される配信サーバとを有する情報配信システムの配信サーバで情報を前記情報表示システムに配信するための情報配信プログラムにおいて、コンテンツを蓄積し、該コンテンツの更新時刻と重要度を管理し、前回受信時刻を情報表示システムから受け取る第１の機能と、受信時刻以降に更新されたコンテンツを配信候補とする第２の機能と、該配信候補の中で、第１に重要度を優先して、配信の優先順位を定め、該優先順位に従って、前記情報表示システムにコンテンツを配信するとともに、配信するコンテンツのデータサイズも管理し、配信する複数のコンテンツのうち、重要度が同じコンテンツの場合は、データサイズが小さいものを優先して、配信の優先順位を定める第３の機能とをコンピュータに実行させるための情報配信プログラムを要旨とする。
【００１７】
また、請求項１１に記載の発明は、車内に設置される情報表示システムと、該情報表示システムと車外高速無線ＬＡＮで接続される配信サーバとを有する情報配信システムの配信サーバで情報を前記情報表示システムに配信するための情報配信プログラムであって、コンテンツを蓄積し、該コンテンツの更新時刻と重要度を管理し、前回受信時刻を情報表示システムから受け取る第１の機能と、受信時刻以降に更新されたコンテンツを配信候補とする第２の機能と、該配信候補の中で、第１に重要度を優先して、配信の優先順位を定め、該優先順位に従って、前記情報表示システムにコンテンツを配信する第３の機能とをコンピュータに実行させるための情報配信プログラムを記録したコンピュータ読み取り可能な記録媒体を要旨とする。
【００１８】
また、請求項１２に記載の発明は、車内に設置される情報表示システムと、該情報表示システムと車外高速無線ＬＡＮで接続される配信サーバとを有する情報配信システムの配信サーバで情報を前記情報表示システムに配信するための情報配信プログラムにおいて、コンテンツを蓄積し、該コンテンツの更新時刻と重要度を管理し、前回受信時刻を情報表示システムから受け取る第１の機能と、受信時刻以降に更新されたコンテンツを配信候補とする第２の機能と、該配信候補の中で、第１に重要度を優先して、配信の優先順位を定め、該優先順位に従って、前記情報表示システムにコンテンツを配信するとともに、配信するコンテンツのデータサイズも管理し、配信する複数のコンテンツのうち、重要度が同じコンテンツの場合は、データサイズが小さいものを優先して、配信の優先順位を定める第３の機能とをコンピュータに実行させるための情報配信プログラムを記録したコンピュータ読み取り可能な記録媒体を要旨とする。
【００１９】
【発明の実施の形態】
以下、本発明の実施形熊について図表により詳細に説明する。本発明の実施形態に係る情報配信システムの構成を図１に示す。同図において、本実施形態に係る情報配信システムは、公共の乗物等の車内に設置される情報表示システム１０と、情報表示システム１０と車外高速無線ＬＡＮを構成する駅または停留所に設置された無線ＬＡＮアクセスポイント３１〜３３と、ネットワーク４０を介して接続され、配信するコンテンツを保持する配信サーバ２０とを有している。
【００２０】
情報表示システム１０は、配信サーバ２０からコンテンツの供給を受け、コンテンツの受信時刻と、各コンテンツの受信完了か否かを判定し、受信未完了の場合は、前記コンテンツの受信済みのデータサイズとを管理するとともに、駅に停車した際に、前回の受信時刻を配信サーバ２０に送り、かつ受信未完了のコンテンツがあれば、該コンテンツを識別するためのＩＤと該コンテンツの受信済みのデータサイズを示すデータを配信サーバ２０に送出する機能を有している。
【００２１】
また、配信サーバ２０は、コンテンツを蓄積し、該コンテンツの更新時刻を管理し、かつ前記前回の受信時刻を前記情報表示システムから受け取るとともに、受信未完了のコンテンツを識別するＩＤと該コンテンツの受信済みのデータサイズを示すデータを情報表示システム１０から受け取ったとき、該コンテンツの更新時刻が、前回の受信時刻以前であれば、該コンテンツの残りのデータを情報表示システム１０に送出する機能を有する。
【００２２】
次に、本発明の実施形態に係る情報配信システムを構成する情報表示システム１０と配信サーバ２０の具体的構成を図２に示す。
図２において、情報表示システム１０は、無線ＬＡＮアンテナ１００と、通信管理部１０２と、蓄積部１０４と、スケジューラ１０６と、表示部１０８とを有している。
通信管理部１０２は、無線ＬＡＮアンテナ１００を通じて、情報表示システム１０が搭載された車両が駅に停車したときに、無線ＬＡＮアクセスポイント３１〜３３を介して配信サーバ２０からコンテンツの配信を受け、配信されたコンテンツを蓄積部１０４に蓄積する機能を有している。
【００２３】
また、スケジューラ１０６は、スケジューラ１０６が有するスケジュールに従って、蓄積部１０４に蓄積されているコンテンツを表示部１０８に表示する。
配信サーバ２０は、通信管理部２００と、蓄積部２０２とを有している。
通信管理部２００は、情報表示システム１０からの要求に従って、蓄積部２０２に蓄積されているコンテンツを、情報表示システム１０に配信する機能を有している。
情報表示システム１０が搭載された車両が、ある駅に到着してから発車するまでの情報表示システム１０と配信サーバ２０との間における処理シーケンスを図３に示す。
【００２４】
第１実施例として、１回の停車時間では配信しきれない巨大なコンテンツを配信サーバ２０から、車両に搭載された情報表示システム１０に配信する場合について説明する。この場合、Ａ駅で停車中に配信しきれなかったコンテンツの続きを車両が次のＢ駅に停車した際に配信することになる。
情報表示システム１０の通信管理部１２は、無線ＬＡＮのセッションか確立するかどうかを一定間隔でボーリングしており（ステップ３００）、セッションが確立すると駅に到着したと判断する（ステップ３０１）。
【００２５】
無線ＬＡＮアクセスポイント３１が設置されたＡ駅に、情報表示システム１０を搭載した車両が時刻１３：２０に到着すると、情報表示システム１０の通信管理部１０２は、前回、配信サーバ２０と通信した時刻（１３：１０）を保持しており、その時刻を配信サーバ２０に送信する（ステップ３０２）。
配信サーバ２０の通信管理部２００は、受け取った時刻から、その時刻以降更新されたコンテンツリストを蓄積部２０２から検索する。蓄積部２０２の内容を図４に示す。
【００２６】
その結果、時刻１３：１５に更新された約２０ＭＢの大きさのコンテンツｃの部分のコンテンツリストの差分が検索され、情報表示システム１０に送信され、情報表示システム１０は、これを受信する（ステップ３０３）。この場合は、情報表示システム１０に送信すべきコンテンツは、コンテンツｃしかないので（ステップ３０４）、情報表示システム１０は、コンテンツｃのＩＤである「ｃ」を配信サーバ２０に送信する（ステップ３０８）。そして、情報表示システム１０は、コンテンツｃの受信を行なう（ステップ３０９）。
【００２７】
しかし、停車時間が十分ではなく、１０，３５９，４５８バイト受信したところで車両が発車して無線ＬＡＮのセッションが切れてしまったとする（ステップ３１０）。情報表示システム１０は、受信済サイズを蓄積部１０４に保存する（ステップ３１２）。その時における車両情報システム１０の蓄積部１０４の内容を図５に示す。
【００２８】
無線ＬＡＮアクセスポイント３２が設置されたＢ駅に、情報表示システム１０を搭載した車両が時刻１３：３０に到着すると（ステップ３０１）、情報表示システム１０の通信管理部１２は、前回、配信サーバと通信した時刻１３：２０を配信サーバ２０に送信する（ステップ３０２）、その時刻以降に更新されたコンテンツは存在しなかったので、配信サーバ２０から空のコンテンツリストの差分が送信され、情報表示システム１０では、これを受信する（ステップ３０３）。
【００２９】
通信管理部１０２は、蓄積部１０４を参照し（図５）、配信途中のコンテンツｃが１０，３５９，４５８バイトまで送信済ということをＩＤとともに、配信サーバ２０に伝える（ステップ３０７）。
配信サーバ２０は、その続きからコンテンツｃの配信を再開し（ステップ３０９）、情報表示システム１０を搭載した車両が、Ｂ駅停車中にコンテンツｃの配信を終了する（ステップ３１１）。そして、蓄積部１０４の配信完了フラグをＴｒｕｅに更新する（ステップ３１３）。
【００３０】
もし、Ａ駅からＢ駅に車両が移動中に、配信サーバ２０側でコンテンツｃが更新された場合は、無線ＬＡＮアクセスポイント３２が設置されたＢ駅に車両が時刻１３：３０に到着したときに、配信サーバ２０の蓄積部２０２の記憶内容は、図６のようになっているため、情報システム１０の通信管理部１０２が、前回、配信サーバ２０と通信した時刻１３：２０を送信すると（ステップ３０２）、時刻１３：２５に更新されたコンテンツｃ部分のコンテンツリストの差分が配信サーバ２０より情報表示システム１０に送信され、情報表示システム１０はこれを受信する（ステップ３０３）。
【００３１】
図５のコンテンツｃの更新時刻は１３：１５であるので、コンテンツｃが更新されたと判断し（ステップ３０６）、情報表示システム１０は、コンテンツｃのＩＤである「ｃ」のみを配信サーバ２０に送信する（ステップ３０８）。これで、コンテンツｃは、途中からではなく、最初から送信されることになる。
【００３２】
次に、第２実施例として、配信するコンテンツが複数ある場合について説明する。この場合、ある配信戦略に従って、コンテンツの送信の順番を決め、効率の良いコンテンツの配信を行なうことになる。
無線ＬＡＮアクセスポイント３１が設置されたＡ駅に、情報表示システム１０を搭載した車両が時刻１３：２０に到着すると、情報表示システム１０の通信管理部１０２は、前回、配信サーバ２０と通信した時刻（１３：１０）を保持しており、その時刻を配信サーバ２０に送信する。
【００３３】
配信サーバ２０の通信管理部２００は、受取った時刻から、その時刻以降に更新されたコンテンツリストを蓄積部２０２から検索する。蓄積部２２の内容を図７に示す。その結果、コンテンツａ，ｂ，ｃの３つを含むコンテンツリストの差分が検索される（ステップ３０３）。これらは以下のような優先順位で、情報表示システム１０への送信の順番を決定する（ステップ３０４）。
１．重要度が高い順
２．重要度が同じ場合は、送信すべきデータサイズが小さい順
【００３４】
重要度は、コンテンツを供給する側がそのコンテンツをどれだけ速報性があるかどうか考えているかで決定される。図７に示す例では、重要度は１（高）〜５（低）で表され、コンテンツａが最も速報性が高いことを示している。
また、重要度が同じ場合は、コンテンツサイズ（コンテンツのデータサイズ）によって優先順位が決定されるが、一般的に、データサイズが小さいコンテンツは文字情報が主で、データサイズに比較して情報価値が高く、データサイズが大きいコンテンツは画像や動画などが主で、データサイズに比較して情報価値が低いと考えられるからである。このデータサイズは、配信途中のものに関しては、未送信サイズが対象となる。
【００３５】
この場合は、ａ，ｂ，ｃの順番でコンテンツが配信サーバ２０より情報表示システム１０に送信される。また、情報表示システム１０が搭載された車両がＡ駅の停車時間中にコンテンツが配信しきれなかった場合は、第１実施例に従ってコンテンツを分割して配信サーバ２０より情報表示システム１０に配信されることとなる。
【００３６】
また、図１における配信サーバ２０の機能を実現するための情報配信プログラムをコンピュータ読み取り可能な記録媒体に記録して、この記録媒体に記録されたプログラムをコンピュータシステムに読み込ませ、実行することによりコンテンツを情報表示システム１０に配信する処理を行ってもよい。
【００３７】
ここで、「情報配信プログラム」とは、車内に設置される情報表示システムと、該情報表示システムと車外高速無線ＬＡＮで接続される配信サーバとを有する情報配信システムの配信サーバで情報を前記情報表示システムに配信するための情報配信プログラムにおいて、コンテンツを蓄積し、該コンテンツの更新時刻と重要度を管理し、前回受信時刻を情報表示システムから受け取る第１の機能と、受信時刻以降に更新されたコンテンツを配信候補とする第２の機能と、該配信候補の中で、第１に重要度を優先して、配信の優先順位を定め、該優先順位に従って、前記情報表示システムにコンテンツを配信する第３の機能とをコンピュータに実行させるための情報配信プログラムをいう。
【００３８】
また、上記「情報配信プログラム」は、前記第３の機能が、配信するコンテンツのデータサイズも管理し、配信する複数のコンテンツのうち、重要度が同じコンテンツの場合は、データサイズが小さいものを優先して、配信の優先順位を定めることを特徴とする情報配信プログラムをも含む。
【００３９】
なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００４０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４１】
また上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００４２】
【発明の効果】
以上説明したように、本発明によれば、公共の乗物に搭載された情報表示システムに対し、無線ＬＡＮを通じてコンテンツの配信を行なう場合に、配信コンテンツが複数ある場合は、それらの間の優先順位を反映し、また、配信途中で、通信が途切れた場合は、次の駅や停留所で配信を再開させるようにしたので、車内に設置された情報表示システムヘの情報配信をより効率的に行なうことができる。
【図面の簡単な説明】
【図１】本発明の実施形態に係る情報配信システムの構成を示すブロック図。
【図２】図１に示した情報表示システム及び配信サーバの具体的構成を示すブロック図。
【図３】図１に示した情報表示システムと配信サーバとの間の処理シーケンスを示すフローチャート。
【図４】図２に示した配信サーバにおける蓄積部の記憶内容の一例を示す説明図。
【図５】図２に示した情報表示システムにおける蓄積部の記憶内容の一例を示す説明図。
【図６】図２に示した配信サーバにおける蓄積部の記憶内容の他の例を示す説明図。
【図７】図２に示した配信サーバにおける蓄積部の記憶内容のさらに他の例を示す説明図。
【符号の説明】
１０…情報表示システム
２０…配信サーバ
３１〜３３…無線ＬＡＮアクセスポイント
４０…ネットワーク
【図１】
2004135138.tif 000003
【図２】
2004135138.tif 000004
【図３】
2004135138.tif 000005
【図４】
2004135138.tif 000006
【図５】
2004135138.tif 000007
【図６】
2004135138.tif 000008
【図７】
2004135138.tif 000009